(57)【要約】  親局（１０）は、電力を供給する給電信号を受電装置である子局に送信する給電装置である。親局（１０）は、受電装置とデータ通信を開始すべき開始時刻を特定する時刻情報が格納された給電側格納部である起床時刻記録部（１２ｃ）、時刻情報により特定された開始時刻に到達したかを判定し、開始時刻に到達したと判定した場合に、給電信号を送信する給電側判定部（１０２）とを備えている。
2017109963.tif 000002
【特許請求の範囲】
【請求項１】
電力を供給する給電信号を受電装置に送信する給電装置において、
前記受電装置とデータ通信を開始すべき開始時刻を特定する時刻情報が格納された給電側格納部と、
前記時刻情報により特定された前記開始時刻に到達したかを判定し、前記開始時刻に到達したと判定した場合に前記給電信号を送信する給電側判定部と
を備えた給電装置。
【請求項２】
前記給電側格納部は、
前記受電装置を識別する識別情報に、前記時刻情報が対応づけて格納されており、
前記給電側判定部は、
前記給電信号を送信する場合に、前記識別情報に対応する前記給電信号の送信パターンを決定し、決定した前記送信パターンで前記給電信号を送信する請求項１に記載の給電装置。
【請求項３】
電力を供給する給電信号を送信する給電装置から前記給電信号を受信する受電装置において、
前記給電装置とデータ通信を開始すべきかどうかの判定に使用する判定情報が格納された受電側格納部と、
前記給電装置とデータ通信を行う受電側データ通信部と、
前記給電信号を受信した場合に前記判定情報を使用して前記データ通信を開始すべきかどうかを判定し、前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする受電側判定部と
を備えた受電装置。
【請求項４】
前記受電側格納部は、
前記判定情報として、前記給電装置とデータ通信を開始すべき開始時刻を特定する時刻情報が格納されており、
前記受電側判定部は、
前記給電信号を受信した場合に前記時刻情報を使用して前記データ通信を開始すべきかどうかを判定する請求項３に記載の受電装置。
【請求項５】
前記受電側格納部は、
前記判定情報として、前記給電信号の送信パターンを示すパターン情報と照合される照合情報が格納されており、
前記受電側判定部は、
前記給電信号の前記パターン情報を検出し、検出した前記パターン情報と前記照合情報とを比較し、比較の結果、前記パターン情報が前記照合情報を示す場合に前記データ通信を開始すべきと判定する請求項３に記載の受電装置。
【請求項６】
電力を供給する給電信号を送信する給電装置と、
前記給電装置から前記給電信号を受信し、前記給電装置とデータ通信を行う受電装置と
を備え、
前記給電装置は、
前記受電装置が前記データ通信を開始すべき開始時刻を特定する時刻情報が格納された給電側格納部と、
前記時刻情報により特定された開始時刻に到達したかを判定し、前記開始時刻に到達した判定した場合に前記給電信号を送信する給電側判定部と、
前記受電装置とデータ通信を行う給電側データ通信部と
を備え、
前記受電装置は、
前記データ通信を開始すべきかどうかの判定に使用する判定情報が格納された受電側格納部と、
前記給電側データ通信部とデータ通信を行う受電側データ通信部と、
前記給電信号を受信した場合に前記判定情報を使用して前記データ通信を開始すべきかどうかを判定し、前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする受電側判定部と
を備えた給電システム。
【請求項７】
電力を供給する給電信号を受電装置に送信する給電装置が行う給電方法であって、
前記受電装置とデータ通信を開始すべき開始時刻を特定する時刻情報を格納し、
前記時刻情報により特定された前記開始時刻に到達したかを判定し、前記開始時刻に到達したと判定した場合に前記給電信号を送信する給電方法。
【請求項８】
電力を供給する給電信号を送信する給電装置とデータ通信を行う受電側データ通信部を備える受電装置が行うデータ通信方法であって、
前記給電装置とデータ通信を開始すべきかどうかの判定に使用する判定情報を格納し、
前記給電信号を受信した場合に前記判定情報を使用して前記データ通信を開始すべきかどうかを判定し、
前記データ通信を開始すべきと判定した場合に前記受電側データ通信部の電源をオンにして前記受電側データ通信部に前記給電装置とのデータ通信を行なわせ、前記受電側データ通信部による前記給電装置とのデータ通信が終了した場合に前記受電側データ通信部の電源をオフにする電源管理方法。
【請求項９】
電力を供給する給電信号を受電装置に送信する給電装置であるコンピュータに、
前記受電装置とデータ通信を開始すべき開始時刻を特定する時刻情報を格納する処理、
前記時刻情報により特定された前記開始時刻に到達したかを判定する処理、
前記開始時刻に到達したと判定した場合に前記給電信号を送信する処理
を実行させるための給電プログラム。
【請求項１０】
電力を供給する給電信号を送信する給電装置とデータ通信を行う受電側データ通信部を備える受電装置であるコンピュータに、
前記給電装置とデータ通信を開始すべきかどうかの判定に使用する判定情報を格納する処理、
前記給電信号を受信した場合に前記判定情報を使用して前記データ通信を開始すべきかどうかを判定する処理、
前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする処理
を実行させるための電源管理プログラム。
【発明の詳細な説明】
【技術分野】
【０００１】
本発明は、無線通信と無線電力伝送とを行う無線装置である親局の給電装置と、親局からの無線電力伝送により給電され、親局と無線でデータ通信する無線通信装置である子局の受電装置とに関する。
【背景技術】
【０００２】
無線センサネットワークをはじめとする、多数の無線通信装置を設置するシステムでは、設置コスト削減、設置場所の自由度向上のため、電力供給配線の不使用の要求がある。この要求の実現方法として、無線電波を用いて電源供給する無線電力伝送（ワイヤレス給電、レクテナ）技術を用いた方法がある。無線電力伝送の技術は、ワイヤレス給電、レクテナと呼ばれる場合もある。【０００３】
無線通信装置の電池駆動、あるいは、周囲の環境に存在するエネルギーを利用する発電を、無線通信装置の電源として使用する方法がある。
しかし、これらを電源として使用する方法では、無線通信装置は、限られた電力量で長期間の連続運用が必要になる。よって無線通信装置には、運用中の電力消費量を極力小さくすることが要求される。【０００４】
特許文献１では、非接触式の電力伝送システムを開示している。特許文献１の電力伝送システムでは、送電部から受電装置への電力の送信時間が、一定期間ごとに複数の期間に分割される。そして、各々の受電装置が、分割されたいずれかの期間に割り当てられ、割り当てられた期間で電力伝送される。このような方式によって、各受電装置に安定して電力を送電することができるとしている。【０００５】
しかしながら、受電装置がセンサー端末である場合、センサー端末の電池消費を極力小さくする必要があるため、無線電力伝送を用いる場合、受電装置への電力の安定供給に加え、消費電力を極力小さくする必要がある。【０００６】
子局が間欠動作する場合、子局がＲＴＣ（Ｒｅａｌ  Ｔｉｍｅ  Ｃｌｏｃｋ）の時刻管理を採用している場合、子局の間欠周期がずれてしまう恐れがある。そのため、時刻同期して子局が通信する場合に、通信タイミングがずれてしまうため、同期の再引き込みの回数が増加し、消費電力増大につながる。
【先行技術文献】
【特許文献】
【０００７】
【特許文献１】特開２００９−２６８３１１号公報
【発明の概要】
【発明が解決しようとする課題】
【０００８】
この発明は、無線給電される無線通信装置の消費電力を低減することを目的とする。
【課題を解決するための手段】
【０００９】
この発明の給電装置は、
電力を供給する給電信号を受電装置に送信する給電装置において、
前記受電装置とデータ通信を開始すべき開始時刻を特定する時刻情報が格納された給電側格納部と、
前記時刻情報により特定された前記開始時刻に到達したかを判定し、前記開始時刻に到達したと判定した場合に前記給電信号を送信する給電側判定部と
を備えている。
【発明の効果】
【００１０】
この発明は、受電装置とデータ通信を開始すべき開始時刻を特定する時刻情報が格納された給電側格納部と、給電側格納部の時刻情報に基づき給電信号の送信を行う給電側判定部とを備えたので、無線給電される無線通信装置の消費電力を低減することができる。
【図面の簡単な説明】
【００１１】
【図１】実施の形態１の図で、給電システム１の構成を示す図。
【図２】実施の形態１の図で、親局１０の機能ブロック図。
【図３】実施の形態１の図で、親局１０のハードウェア構成図。
【図４】実施の形態１の図で、子局２０の機能ブロック図。
【図５】実施の形態１の図で、子局２０のハードウェア構成図。
【図６】実施の形態１の図で、親局１０と複数の子局２０とのやり取りを示すシーケンス図。
【図７】実施の形態１の図で、親局１０の動作を示すフローチャート。
【図８】実施の形態１の図で、子局２０の動作を示すフローチャート。
【図９】実施の形態２の図で、親局１０Ａのブロック図。
【図１０】実施の形態２の図で、子局２０Ａのブロック図。
【図１１】実施の形態２の図で、親局１０Ａと複数の子局２０Ａとのやり取りを示すシーケンス図。
【図１２】実施の形態２の図で、親局１０Ａの動作を示すフローチャート。
【図１３】実施の形態２の図で、子局２０Ａの動作を示すフローチャート。
【発明を実施するための形態】
【００１２】
実施の形態１．
図１〜図８を参照して実施の形態１を説明する。図１は、実施の形態１の給電システム１を示す図である。給電システム１は、親局１０と、複数の子局２０とを備える。親局は給電装置であり、それぞれの子局は受電装置である。図１では、子局２０−１〜子局２０−ＮのＮ機の子局を示している。親局１０とそれぞれの子局２０とは、無線でデータ通信を行う。また、親局１０は、電力を供給する給電信号を子局２０に無線で送信する。
【００１３】
＜＊＊＊構成の説明＊＊＊＞
図２は親局１０の機能ブロック図である。親局１０は、それぞれの子局２０とデータ通信を行うデータ通信部１１、給電信号を送信する給電部１２を備えている。データ通信部１１は、子局２０にデータ信号を送信し、また子局からデータ信号を受信する通信部１１ａ、データ信号を信号処理して外部機器へデータ転送する信号処理部１１ｂ、記憶部１１ｃ及びデータ通信用のアンテナ１１ｄを備えている。通信部１１ａと信号処理部１１ｂとは、給電側データ通信部１０３を構成する。給電側データ通信部１０３は、受電装置とデータ通信を行う。給電部１２は、給電信号を生成する給電信号生成部１２ａ、通信部１１ａにデータ通信命令を送信し、また給電信号生成部１２ａに給電を開始させる起床タイミング管理部１２ｂ、子局２０−１〜子局２０−Ｎのすべての子局の起床時刻が格納される起床時刻記録部１２ｃ及び給電用のアンテナ１２ｄを備えている。起床時刻記録部１２ｃは、給電側格納部１０１である。給電信号生成部１２ａと起床タイミング管理部１２ｂは、給電側判定部１０２を構成する。
【００１４】
図３は、親局１０のハードウェア構成図である。親局１０は、ハードウェアとして、高周波回路８１、中央処理装置８２、ＲＡＭ（Ｒａｎｄｏｍ  Ａｃｃｅｓｓ  Ｍｅｍｏｒｙ）８３、高周波回路８４、中央処理装置８５、発振器８６、ＲＡＭ８７を備えている。以下、高周波回路はＲＦ回路と記し、中央処理装置はＣＰと記す。データ通信部１１は、ＲＦ回路８１、ＣＰＵ８２、ＲＡＭ８３により構成される。給電部１２はＲＦ回路８４、ＣＰＵ８５、発振器８６、ＲＡＭ８７により構成される。
なお、機能ブロック図との対応は以下のとおりである。
（１）通信部１１ａの機能は、ＲＦ回路８１で実現される。
（２）信号処理部１１ｂの機能はＣＰＵ８２で実現される。
（３）記憶部１１ｃの機能はＲＡＭ８３によって実現される。
（４）給電信号生成部１２ａの機能は、ＲＦ回路８４とＣＰＵ８５とによって実現される。
（５）起床タイミング管理部１２ｂの機能は、ＣＰＵ８５及び発振器８６によって実現される。
（６）起床時刻記録部１２ｃの機能は、ＲＡＭ８７によって実現される。
【００１５】
図４は、子局２０の機能ブロック図である。子局２０は、親局１０とデータ通信を行うデータ通信部２１、親局１０からの給電信号に対して、子局２０自身に電力供給を行う給電部２２を備えている。データ通信部２１は、親局１０の通信部１１ａとデータ通信を行う。データ通信部２１が親局１０とデータ通信を行わない場合は、データ通信部２１の電源はオフ状態にされる。データ通信部２１は、親局１０にデータを送信し、また親局１０からデータを受信する通信部２１ａ、無線のデータ信号を信号処理して外部機器へデータ転送する信号処理部２１ｂ、データ通信用のアンテナ２１ｃを備えている。
【００１６】
給電部２２は、ＲＦ−ＤＣ変換部２２ａ、起床時刻管理部２２ｂ、起床時刻記憶部２２ｃ及び親局１０によって送信された給電信号を受信するアンテナ２２ｄを備えている。起床時刻管理部２２ｂは時計２２ｂ−１を備えている。ＲＦ−ＤＣ変換部２２ａは、親局１０から送信され、アンテナ２２ｄで受信された給電信号に対し、マイクロ波−直流変換（ＲＦ−ＤＣ変換）を行い、変換された直流電力を自局に供給する。起床時刻記憶部２２ｃには起床時刻が格納されている。起床時刻管理部２２ｂは、給電信号によってＲＦ−ＤＣ変換部２２ａに供給された電力の供給時刻を観測し、自局が起床する時刻と比較し、起床時刻記憶部２２ｃに格納された許容値以内であればデータ通信部２１の電源をオンしデータ通信を開始させる。また、起床時刻記憶部２２ｃに格納された起床時刻を、給電時刻へ修正する。起床時刻記憶部２２ｃは、受電側格納部２０１である。ＲＦ−ＤＣ変換部２２ａと起床時刻管理部２２ｂとは、受電側判定部２０２を構成する。データ通信部２１は受電側データ通信部２０３である。
【００１７】
図５は、子局２０−１のハードウェア構成図である。子局２０は、ハードウェアとして、ＲＦ回路９１、ＣＰＵ９２、整流回路９３、ＤＣ／ＤＣ９４、蓄電コンデンサ９５、ＣＰＵ９６、発振器９７、ＲＡＭ９８を備えている。ＤＣ／ＤＣ９４は、直流電圧を異なる直流電圧に変換するコンバータである。データ通信部２１は、ＲＦ回路９１とＣＰＵ９２により構成される。給電部２２は整流回路９３、ＤＣ／ＤＣ９４、蓄電コンデンサ９５、ＣＰＵ９６、発振器９７、ＲＡＭ９８により構成される。なお、機能ブロック図との対応は以下のとおりである。
（１）通信部２１ａの機能は、ＲＦ回路９１で実現される。
（２）信号処理部２１ｂの機能は、ＣＰＵ９２で実現される。
（３）ＲＦ−ＤＣ変換部２２ａの機能は、整流回路９３、ＤＣ／ＤＣ９４及び蓄電コンデンサ９５で実現される。
（４）起床時刻管理部２２ｂの機能は、ＣＰＵ９６及び発振器９７によって実現される。
（５）起床時刻記憶部２２ｃの機能は、ＲＡＭ９８によって実現される。
【００１８】
＜＊＊＊動作の説明＊＊＊＞
図６は、親局１０と複数の子局２０とのやり取りを示すシーケンス図である。図７は、親局１０の動作のフローチャートである。図８は、子局２０の動作例を示すフローチャートである。図６〜図８を参照して、親局１０と複数の子局２０との通信の動作を説明する。
【００１９】
まず、図６を参照して、親局１０と複数の子局２０とのやり取りの概要を説明する。
図６に示すように、親局１０と複数の子局２０とのやり取りは、上側の子局２０の収容処理Ｓ００１と、下側の給電処理Ｓ００２とに分けられる。
【００２０】
収容処理Ｓ００１は、親局１０がＮ機の子局２０のそれぞれから起床タイミング情報を収集する。親局１０はステップＳ０１において、１回目の無線給電により、給電信号を送信する。各子局２０は、１回目の給電信号を受信した場合に、データ通信部２１、給電部２２が起動する。そして、ステップＳ０２〜Ｓ０４等において、それぞれの子局２０のデータ通信部２１が、起床時刻記憶部２２ｃに格納されている起床タイミング情報を親局１０に送信し、送信後、それぞれの子局２０のデータ通信部２１は電源オフとなる。
【００２１】
収容処理Ｓ００１は、親局１０が起床時刻に到達した子局２０が存在すると判断した場合に、給電信号を送信する。つまり、起床時刻に到達した子局２０が存在すると判断した場合に、親局１０は、ステップＳ０５において、無線給電により２回目の給電信号を送信する。ステップＳ０５の無線給電は、ステップＳ０２〜Ｓ０４等において収集したそれぞれの子局２０の起床タイミング情報に基づき、親局１０がいずれかの子局２０の起床時刻に到達したと判断した場合である。この場合、親局１０は、起床時間に到達した子局の存在を認識できれば十分であり、具体的にどの子局２０が起床時刻に到達したかを認識する必要はない。ステップＳ０５の無線給電は、起床時刻に到達した子局２０が子局２０−１の場合を示す。なお図６では給電処理Ｓ００２において子局２０−１が起床時刻の到達した場合を示しているが、親局１０は、いずれかの子局２０が起床時刻に到達したと判断した場合、給電信号（ステップＳ０５）を送信する。
【００２２】
２回目の無線給電の場合、つまり給電処理Ｓ００２における無線給電の場合、子局２０の動作は収容処理Ｓ００１の動作と異なる。収容処理Ｓ００１の無線給電では、子局２０が給電信号を受信した場合、給電信号の受信を契機にデータ通信部２１、給電部２２が電源オンし、データ通信部２１が起床タイミング情報を親局１０に送信する。しかし給電処理Ｓ００２の無線給電の場合、子局２０では給電部２２のみが起動し、データ通信部２１は電源オフの状態である（ステップＳ０６−１、Ｓ０６−２、Ｓ０６−Ｎ）。起床時刻管理部２２ｂは、親局１０により給電された時刻と、起床時刻記憶部２２ｃに格納された起床タイミング情報から特定される時刻とが一致するか判断する（ステップＳ０７−１、Ｓ０７−２、Ｓ０７−Ｎ）。起床時刻管理部２２ｂは、一致と判断した場合、データ通信部２１の電源をオンにし、データ通信部２１に親局１０とデータ通信を開始させる（ステップＳ０８−１）。起床時刻管理部２２ｂは、一致しない判断した場合、データ通信部２１の電源オフ状態を維持する（ステップＳ０９−２、Ｓ０９−Ｎ）。
【００２３】
収容処理Ｓ００１、給電処理Ｓ００２の給電信号は同じである。つまり、収容処理Ｓ００１および給電処理Ｓ００２において送信される給電信号は各子局２０に対して同一である。以下、この給電信号を共通給電信号という場合がある。それぞれの子局２０は、収容処理Ｓ００１の給電信号と、給電処理Ｓ００２の給電信号とを以下のように区別する。子局２０の起床時刻管理部２２ｂは、収容処理Ｓ００１の無線給電か、給電処理Ｓ００２の無線給電かを判別可能である。具体的には、起床時刻管理部２２ｂは給電信号の受信回数Ｎを起床時刻記憶部２２ｃに記録する。起床時刻管理部２２ｂはＮ＝１として初めて記録する場合を収容処理Ｓ００１と判定し、Ｎ＝２以上であれば給電処理Ｓ００２と判定する。
なお、子局は給電信号の受信回数Ｎを起床時刻記憶部２２ｃに記憶せずに、給電信号の受信を待つことなく自身の起床時刻となったときに自律的に収容処理Ｓ００１を行い、収容処理Ｓ００１の後の処理は給電処理Ｓ００２であると判定してもよい。つまり、子局は給電信号の受信を待つことなく自身の起床時刻となったときに自律的に起床タイミング情報を親局に送信する。そして、子局は、起床タイミング情報の送信後は給電処理Ｓ００２であると判定する。
【００２４】
図７を参照して親局１０の動作を説明する。図７では収容処理Ｓ００１、給電処理Ｓ００２に対応する処理を破線の枠で示している。
ステップＳ１０において、親局１０はデータ通信部１１、給電部１２が電源オンされ、データ通信部１１、給電部１２が起動する。
【００２５】
ステップＳ１１において、給電信号生成部１２ａが給電信号を送信する。ステップＳ１１はステップＳ０１に対応する。子局２０は１回目の給電信号を受信した場合にはデータ通信部２１、給電部２２が起動し、データ通信部２１が起床タイミング情報を送信する。具体的には子局２０の起床時刻管理部２２ｂは、ＲＦ−ＤＣ変換部２２ａを介して１回目の給電信号を受信したことを検知し、検知を契機として、起床時刻記憶部２２ｃに格納されている起床タイミング情報を、通信部２１ａを使用して送信する。
【００２６】
ステップＳ１２において、親局１０では、通信部１１ａが、それぞれの子局２０の送信する起床タイミング情報を、アンテナ１１ｄを介して受信する。起床タイミング情報には、起床時刻、起床間隔、子局２０を識別する識別番号の情報が含まれている。識別番号は識別情報の例である。子局が特定できれば識別番号以外でもよい。起床タイミング情報は、受電装置とデータ通信を開始すべき開始時刻を特定する時刻情報である。起床時刻とは１５時０分０秒のような情報であり、起床間隔とは５時間のような情報である。識別番号を用いて、親局１０は、データ通信によって、識別番号の子局２０宛に起床タイミング情報の受信完了を通知する応答データを送信する。応答データを受信した子局２０では、データ通信部２１の電源をオフにする。実施の形態１では起床タイミング情報に識別番号が含まれることを想定するが、起床タイミング情報に識別情報を含まない構成でもよい。起床タイミング情報に識別情報を含まない場合は、起床タイミング情報を受信した親局１０は応答データを送信せず、また、起床タイミング情報を送信した子局２０では、起床タイミング情報の送信後、データ通信部２１の電源がオフになる。通信部１１ａにより起床タイミング情報を受信した後、信号処理部１１ｂは、起床タイミング情報から、識別番号、起床時刻、起床間隔を読み取り、起床タイミング管理部１２ｂに送信する。
【００２７】
ステップＳ１３において、起床タイミング管理部１２ｂは子局２０の識別番号、起床時刻、起床間隔を起床時刻記録部１２ｃに記憶する。
【００２８】
ステップＳ１４において、信号処理部１１ｂは子局２０の収容個数Ｍを１だけインクリメントする。ステップＳ１５において、信号処理部１１ｂは、すべての子局数である収容個数Ｓと、収容個数Ｍとが一致するか判定する。収容個数Ｓと収容個数Ｍとが一致しない場合、ステップＳ１２〜ステップＳ１４の動作が、繰り返えされる。なお収容個数Ｓは、記憶部１１ｃに格納されている。信号処理部１１ｂは、記憶部１１ｃに収容個数Ｍを記録し、記録した収容個数Ｍと設定されている収容個数Ｓとを記憶部１１ｃから読み出して比較し、ステップＳ１５の判定を行う。
【００２９】
ステップＳ１５において信号処理部１１ｂによって収容個数Ｍが収容個数Ｓに一致したと判断された場合に、ステップＳ１６において親局１０は受信待機状態となる。
【００３０】
ステップＳ１７において、起床タイミング管理部１２ｂは、時計１２ｂ−１を用いて、起床時刻記録部１２ｃに記録されている複数の子局の起床時刻，起床間隔を用いて、複数の子局のいずれか起床すべき時刻である起床タイミングが、現在の時計と一致したかどうかを判定する。起床タイミングは、起床時刻＋（整数×起床間隔）によって得られる時刻である。整数はゼロ以上とする。なお時計１２ｂ−１は、ＣＰＵ８５と発振器８６とによって実現される。
【００３１】
起床タイミング管理部１２ｂが、複数の子局の起床時刻のいずれかに、時計の現在の時刻が一致したと判断した場合（ステップＳ１７でＹＥＳ）、ステップＳ１８において、給電信号生成部１２ａは、給電信号の送信を開始する。子局の起床時刻は、データ通信を開始すべき開始時刻である。この例では、子局２０−１の起床時刻が時計の現在の時刻に一致したとする。給電信号生成部１２ａによる給電信号の送信後、ステップＳ１９において、親局１０は、子局２０−１とデータ通信を行う。具体的には、子局２０−１はステップＳ１８の給電信号を受信した場合、データ信号を送信する。この動作は図６のステップＳ０８−１、後述する図８のステップＳ２７が対応する。親局１０の通信部１１ａは子局２０−１から送信されたデータ信号をアンテナ１１ｄを介して受信し、信号処理部１１ｂは受信されたデータ信号を処理する。子局２０とのデータ通信が終了した場合、処理はステップＳ１６に戻る。
【００３２】
次に図８を参照して子局２０の動作を説明する。図８では収容処理Ｓ００１、給電処理Ｓ００２に対応する処理を破線の枠で示している。
【００３３】
ステップＳ２０において、それぞれの子局２０は、親局１０から給電信号（収容処理Ｓ００１に対応）を受信した場合に、データ通信部２１、給電部２２が電源オンとなる。
【００３４】
ステップＳ２１において、データ通信部２１が親局１０に対して起床タイミング情報を送信する。具体的には、信号処理部２１ｂが起床時刻管理部２２ｂを介して、起床時刻記憶部２２ｃに格納されている起床タイミング情報を取得し、取得した起床タイミング情報を、通信部２１ａを介して送信する。ステップＳ１２の説明で述べたように起床タイミング情報は、起床時刻、起床間隔を含む。
【００３５】
ステップＳ２２において、起床タイミング情報を受信した親局１０から応答データを受信した場合、子局２０は、データ通信部２１を電源オフし、給電部２２のみ電源オン状態とする。具体的には、信号処理部２１ｂは、自局宛の応答データが受信されたかを判定する。信号処理部２１ｂは応答データが受信されたと判定した場合、起床時刻管理部２２ｂがデータ通信部２１の電源をオフする。
【００３６】
ステップＳ２３において、起床時刻管理部２２ｂは、ＲＦ−ＤＣ変換部２２ａの出力信号によって、親局１０から無線給電されたかどうかを判断する。つまり起床時刻管理部２２ｂは、給電信号を受信したかどうかを判断する。
【００３７】
起床時刻管理部２２ｂが給電信号を受信したと判断した場合（ステップＳ２３でＹＥＳ）、ステップＳ２４において、起床時刻管理部２２ｂは時計２２ｂ−１を用いて、給電された時刻と、起床時刻記憶部２２ｃに予め設定されている起床タイミング情報から特定される起床タイミングとを比較する。起床タイミングは、起床時刻＋（整数×起床間隔）によって得られる時刻である。整数はゼロ以上とする。ここで起床時刻と起床間隔とは、データ通信を開始すべきかを判定するための判定情報である。また、判定情報のうち起床時刻と起床間隔とはデータ通信を開始すべきかを判定するための時刻情報でもある。なお時計２２ｂ−１は、ＣＰＵ９６と発振器９７とによって実現される。ステップＳ２４では、起床時刻管理部２２ｂは、給電された時刻と、起床タイミングとの時刻差が、予め設定されている許容範囲である±Ｍ秒以内であるか判定する。±Ｍ秒は、データとして起床時刻記憶部２２ｃに格納されている。
【００３８】
±Ｍ秒以内（ステップＳ２４のＹＥＳ）であれば、ステップＳ２５において、起床時刻管理部２２ｂは、データ通信部２１の電源をオンする。
【００３９】
さらに、ステップＳ２６において、起床時刻管理部２２ｂは、起床時刻記憶部２２ｃに「起床タイミング情報」の一部として格納されている起床時刻を、給電時間に上書きする（ステップＳ２６）。ここで給電時間とは、この実施の形態では、起床時刻管理部２２ｂがステップＳ２５においてデータ通信部２１を電源オンにした時刻である。しかし、他の時刻を給電時刻としてもよい。他の時刻の例として、起床時刻管理部２２ｂがＲＦ−ＤＣ変換部２２ａを介して給電信号の受信を検知したステップＳ２３の時刻でもよい。
【００４０】
ステップＳ２７において、電源オンになったデータ通信部２１では、信号処理部２１ｂが親局１０のデータ通信部１１とデータ通信を行う。
【００４１】
ステップＳ２８において、信号処理部２１ｂによるデータ通信が終了した場合、起床時刻管理部２２ｂは、データ通信部２１の電源をオフにする。また起床時刻管理部２２ｂは、給電部２２を待機状態とする。そして、ステップＳ２２〜ステップＳ２８が、繰り返えされる。
【００４２】
＜＊＊＊実施の形態１の効果＊＊＊＞
以上に示したように、実施の形態１によれば、親局１０は、子局２０の起床タイミングを管理し、子局２０の起床タイミングに従って無線給電を行う。そして、子局２０は親局１０から無線給電されたタイミングで給電部２２が起動し、起床タイミングが予め設定された時刻の許容範囲以内であれば、データ通信部２１が電源オンになり、データ通信を開始する。よって、子局間における間欠周期の同期ずれを減少させることが可能となる。よって間欠周期の同期ずれの減少によって、同期の再引き込みの回数が減少するため、子局の消費電力を抑えることができる。
【００４３】
実施の形態２．
実施の形態１では、親局１０が子局２０の起床タイミングを管理し、子局２０の起床タイミングに従って無線給電を行う構成である。これにより、間欠周期の同期ずれを減少させ、消費電力を抑えることが可能である。実施の形態２では、親局１０が子局２０の識別番号毎に給電信号の信号パターンを変えることで、起床させる子局２０を無線給電と同時に指定する。つまり、データ信号ではない給電信号に子局２０の識別情報を反映することで、子局２０に自局宛の給電信号であることを認識させる。これにより、実施の形態１で必要であった時計２２ｂ−１を不要とする。子局２０では給電処理Ｓ００２の待機中における時計の駆動が不要となるので、時計の駆動電力が不要になる。よって更に子局２０の消費電力を抑えることができる。
【００４４】
実施の形態２では、起床タイミング情報は、子局２０の識別番号を含むことが必須である。また、子局２０では実施の形態１で必要とした、給電処理Ｓ００２の待機中における時計は不要である。
【００４５】
図９〜図１３を参照して実施の形態２を説明する。実施の形態２のシステム構成は実施の形態１の図１と同じであるが、実施の形態１では親局１０Ａ、子局２０Ａとする。よって実施の形態２では、図１の親局１０、子局２０−１・・・子局２０−Ｎは、親局１０Ａ、子局２０Ａ−１・・・子局２０Ａ−Ｎである。以下では実施の形態１と異なる部分を説明する。
【００４６】
図９は、実施の形態２の親局１０Ａの機能ブロック図である。親局１０Ａは、データ通信部１１、給電部３２を備える。データ通信部１１は実施の形態１と同じである。給電部３２は、給電信号生成部３２ａ、起床タイミング管理部３２ｂ、起床パターン記録部３２ｃを備える。起床タイミング管理部３２ｂは時計３２ｂ−１を備える。
【００４７】
（１）給電信号生成部３２ａは、起床させる子局２０の識別番号に対応する信号パターンの給電信号を生成し、生成したパターンの給電信号を送信する。識別番号に対応する信号パターンを以下、給電パターンという。給電パターンは給電信号の送信パターンである。
（２）起床タイミング管理部３２ｂは、いずれかの子局２０の起床タイミングになった場合、給電信号生成部３２ａに、対象となる子局２０の給電パターンの給電信号の送信を開始させる。
（３）起床パターン記録部３２ｃは、親局１０が収容するすべての子局２０の起床タイミング情報を記録する。
【００４８】
起床パターン記録部３２ｃは、給電側格納部１０１である。給電信号生成部３２ａと、起床タイミング管理部３２ｂとは、給電側判定部１０２を構成する。通信部１１ａと信号処理部１１ｂとは、給電側データ通信部１０３を構成する。
【００４９】
親局１０Ａのハードウェア構成は、実施の形態１の親局１０と同様に、図３に示すハードウェア構成で実現できる。具体的には以下の様である。
（１）データ通信部１１は実施の形態１と同じである。
（２）給電信号生成部３２ａの機能は、ＣＰＵ８５、ＲＦ回路８４によって実現される。
（３）起床タイミング管理部３２ｂの機能は、ＣＰＵ８５及び発振器８６によって実現される。
（４）起床パターン記録部３２ｃの機能は、ＲＡＭ８７によって実現される。
【００５０】
図１０は、実施の形態２の子局２０Ａの機能ブロック図である。子局２０Ａは、データ通信部２１、給電部４２を備える。データ通信部２１は実施の形態１と同じである。
給電部４２は、ＲＦ−ＤＣ変換部２２ａ、給電パターン検出部４２ａ、起床管理部４２ｂ、識別番号記憶部４２ｃを備える。
（１）給電パターン検出部４２ａは、ＲＦ−ＤＣ変換部２２ａの給電パターンを検出し、さらに、給電パターンから子局２０の識別番号を認識する。
なお、給電パターンのみの検出でもよいし、給電パターンから識別番号を認識してもよい。後述のように給電パターンの情報は識別番号記憶部４２ｃに格納されている。給電パターンのみの検出の場合、給電パターンが一致した場合に、子局のデータ通信部２１が電源オンになる。後述の図１３の子局の動作では、給電パターンから識別番号を認識する場合について説明しているが、給電パターンのみの検出の場合には、図１３において、ステップＳ４４が不要となり、ステップＳ４５が「給電パターンが一致するか？」となる。
（２）起床管理部４２ｂは、給電パターン検出部４２ａが認識した識別番号あるいは給電パターンが、自身の識別番号あるいは自身の給電パターンかを判断する。起床管理部４２ｂは、判断の結果、自身の識別番号あるいは自身の給電パターンであった場合には、データ通信部２１の電源をオンにする。（３）識別番号記憶部４２ｃには、子局２０である自局の識別番号及び給電パターンの情報が格納されている。格納されている給電パターンの情報は、受信した給電信号の給電パターンを特定可能な情報である。具体的には、後述の＜例１＞の給電パターンの場合であれば電力伝送期間の情報であり、後述の＜例２＞の給電パターンの場合であればオンオフのパターンの情報であり、＜例３＞の給電パターンの場合であれば電波の伝搬特性の情報である。
【００５１】
識別番号記憶部４２ｃは受電側格納部２０１である。ＲＦ−ＤＣ変換部２２ａ、給電パターン検出部４２ａ、起床管理部４２ｂは受電側判定部２０２を構成する。データ通信部２１は、受電側データ通信部２０３である。
【００５２】
子局２０Ａのハードウェア構成は、実施の形態１の子局２０と同様に、図５に示すハードウェア構成で実現できる。但し、子局２０Ａでは時計２２ｂ−１が不要となる。具体的には以下の様である。
（１）データ通信部２１及びＲＦ−ＤＣ変換部２２ａは、実施の形態１と同じである。
（２）給電パターン検出部４２ａの機能は、ＣＰＵ９６によって実現される。
（３）起床管理部４２ｂの機能は、ＣＰＵ９６によって実現される。
（４）識別番号記憶部４２ｃの機能は、ＲＡＭ９８によって実現される。
【００５３】
図１１は、親局１０Ａと複数の子局２０Ａとのやり取りを示すシーケンス図である。図１２は、親局１０Ａの動作のフローチャートである。図１３は、子局２０Ａの動作例を示すフローチャートである。図１１〜図１３を参照して、親局１０Ａと複数の子局２０Ａとの通信の動作を説明する。
【００５４】
図１１を参照して、親局１０Ａと複数の子局２０Ａとのやり取りの概要を説明する。実施の形態１の図６との相違を中心に説明する。図１１も、親局１０Ａと複数の子局２０Ａとのやり取りは、子局２０Ａの収容処理Ｓ００１と、給電処理Ｓ００２とに分けられる。
【００５５】
収容処理Ｓ００１によって、親局１０ＡがＮ機の子局２０Ａのそれぞれから起床タイミング情報を収集する。実施の形態１との相違は、実施の形態２では、起床タイミング情報に子局２０Ａの識別番号が含まれることが必須である。また、図１１のステップＳ０１で送信される給電信号は、共通給電信号である。なお、図１１のステップＳ０５で送信される給電信号は共通給電信号ではなく、それぞれの子局２０Ａに応じた給電パターンの給電信号である。以下ではこの信号をパターン給電信号という。
【００５６】
実施の形態１と同様に図１１の収容処理Ｓ００１によって、親局１０Ａが子局２０Ａに給電する。実施の形態１との相違は、上記のように、図１１のステップＳ０５ではパターン給電信号とが送信される。そして、ステップＳ０７−１、ステップＳ０７−２、ステップＳ０７−３等において、それぞれの子局２０Ａは、受信したパターン給電信号が自局宛かどうかを判定し、自局宛と判定した場合、ステップＳ０８−１のように、データ通信部２１が電源オンになり、親局１０Ａとデータ通信を開始する。データ通信の終了後、データ通信部２１は電源オフになる。
【００５７】
図１２を参照して、親局１０Ａの動作を説明する。図１２では収容処理Ｓ００１、給電処理Ｓ００２に対応する処理を破線の枠で示している。
【００５８】
ステップＳ３０において、親局１０は、データ通信部１１、給電部３２が電源オンとなり、データ通信部１１、給電部３２が起動する。
【００５９】
ステップＳ３１において、給電信号生成部３２ａが共通給電信号を送信する。ステップＳ３１は図１１のステップＳ０１に対応し、内容は実施の形態１のステップＳ１１と同じである。
【００６０】
それぞれの子局２０Ａは、共通給電信号を受信した場合に起動する。起動したそれぞれの子局２０Ａは、自局の識別番号を含む起床タイミング情報を、親局１０Ａに送信する。これは図１１のステップＳ０２〜Ｓ０４に相当する。
【００６１】
ステップＳ３２において、親局１０Ａでは、通信部１１ａが、それぞれの子局２０Ａから送信された、識別番号を含む起床タイミング情報を受信する。実施の形態２では、起床タイミング情報は、起床時刻、起床間隔に加え識別番号を含むことが必須である。ステップＳ３２ではステップＳ１２と同様に、親局１０Ａは応答データを返信する。
【００６２】
識別番号を含む起床タイミング情報を受信した後、信号処理部１１ｂは、識別番号、起床時刻、起床間隔を読み取り、起床タイミング管理部３２ｂに通知する。ステップＳ３３において、起床タイミング管理部３２ｂは、子局２０の識別番号に、起床時刻、起床間隔を対応付けて、起床パターン記録部３２ｃに記憶する。
【００６３】
ステップＳ３４において、信号処理部１１ｂは、子局２０の収容個数Ｍを１だけインクリメントする。ステップＳ３４はステップＳ１４と同じ処理である。
【００６４】
実施の形態１と同様に、インクリメントされる収容個数Ｍが予め親局１０に設定されている子局２０の収容個数Ｓに一致するまで、ステップＳ３２〜ステップＳ３４の動作が繰り返えされる。
【００６５】
ステップＳ３５において収容個数Ｍが収容個数Ｓに一致した場合は、親局１０Ａは受信待機状態となる（ステップＳ３６）。ステップＳ３５、Ｓ３６はステップＳ１５、Ｓ１６と同じである。
【００６６】
ステップＳ３７において、起床タイミング管理部３２ｂは、時計３２ｂ−１を用いて、起床パターン記録部３２ｃに記録されている起床タイミング情報から特定される起床タイミングのうちのいずれかが、時計の現在の時刻と一致したかを判定するステップＳ３７はステップＳ１７と同じ処理である。時計は実施の形態１と同様に、ＣＰＵ８５と発振器８６とによって実現される。
【００６７】
起床タイミング管理部３２ｂが、複数の起床タイミングのうちのいずれかに、時計の現在の時刻が一致したと判断した場合（ステップＳ３７でＹＥＳ）、起床パターン記録部３２ｃに格納されている起床タイミング情報から時計の時刻に一致する起床タイミングの識別番号を抽出する。起床タイミング管理部３２ｂは、検出した識別番号と、給電信号の送信を命令する命令信号を、給電信号生成部３２ａに送信する。ここで、識別番号、起床時刻、起床間隔はデータ通信を開始すべきかを判定するための判定情報である。
【００６８】
ステップＳ３８において、給電信号生成部３２ａは、起床タイミング管理部３２ｂから識別番号、命令信号を受信した場合には、識別番号から給電パターンを特定し、特定した給電パターンの給電信号を生成して送信する。なお、給電信号生成部３２ａを構成するＣＰＵ８５は、識別番号から給電パターンが特定できるように予めプログラムされており、ＣＰＵ８５はＲＦ回路８４を用いて、特定された給電パターンの給電信号を生成して送信する。これは図１１ｂのステップＳ０５に相当する。
【００６９】
パターン給電信号の送信後、ステップＳ３９において、親局１０Ａは、パターン給電信号の受信を契機にデータ通信を開始した子局２０Ａと、データ通信を行う。ここではデータ通信を行う子局２０Ａは、子局２０Ａ−１とする。親局１０Ａでは、データ通信が終了した場合、信号処理部１１ｂよって、処理はステップＳ３６の受信待機状態に戻る。これらの処理は、図１１のステップＳ０６−１、Ｓ０７−１、Ｓ０８−１に対応する。
【００７０】
次に図１３を参照して子局２０Ａの動作を説明する。図１３では収容処理Ｓ００１、給電処理Ｓ００２に対応する処理を破線の枠で示している。
【００７１】
ステップＳ４０において、それぞれの子局２０Ａは、親局１０Ａから共通給電信号（図１１のステップＳ０１に対応）を受信した場合に、データ通信部２１、給電部２２が電源オンとなる。
【００７２】
ステップＳ４１において、それぞれの子局２０Ａは共通給電信号を受信した場合、データ通信部２１が、自局の識別番号を起床タイミング情報に含めて送信する。具体的にはステップＳ４１は以下の様である。給電パターン検出部４２ａは、ＲＦ−ＤＣ変換部２２ａを介して共通給電信号の受信を検出する。給電パターン検出部４２ａは、共通給電信号の受信を検出した場合、起床管理部４２ｂに検出信号を送信する。起床管理部４２ｂは検出信号を受信した場合、識別番号記憶部４２ｃから識別番号、起床時刻、起床間隔を読み出し、これらを含む起床タイミング情報を信号処理部２１ｂに送信する。信号処理部２１ｂは通信部２１ａを用いて、識別番号を含む起床タイミング情報を送信する。ステップＳ４１は図１１のステップＳ０２〜Ｓ０４が対応する。
【００７３】
ステップＳ４２において、親局１０Ａから応答データの返信があった場合、子局２０Ａでは信号処理部２１ｂがデータ通信部２１を電源オフにし、給電部４２のみ電源オン状態とする。これはステップＳ２２と同じ処理である。
【００７４】
子局２０Ａは、親局１０Ａの送信したパターン給電信号を受信した場合（ステップＳ４３のＹＥＳ）、給電パターン検出部４２ａがＲＦ−ＤＣ変換部２２ａを介して、パターン給電信号の受信を検出する（ステップＳ４３のＹＥＳ）。ステップＳ４４において、パターン給電信号の受信を検出した場合、給電パターン検出部４２ａは、パターン給電信号の給電パターンから、識別番号を特定する。具体的には、給電パターン検出部４２ａを構成するＣＰＵ９６は、給電パターンから識別番号を特定できるように予めプログラムされている。給電パターン検出部４２ａは特定した識別番号を起床管理部４２ｂに送信する。
【００７５】
ステップＳ４５において、起床管理部４２ｂは、給電パターン検出部４２ａから受信した識別番号と、識別番号記憶部４２ｃに格納されている識別番号とを比較し、一致しているか判定する。識別番号記憶部４２ｃに格納されている識別番号は、給電パターン検出部４２ａから受信した識別番号と照合すべき照合情報である。また給電パターン検出部４２ａから受信した識別番号は、給電信号の送信パターンを示すパターン情報である。ステップＳ４４，Ｓ４５は、図１１のステップＳ０７−１〜Ｓ０７−Ｎに相当する。
【００７６】
起床管理部４２ｂは、一致と判定した場合（ステップＳ４５のＹＥＳ）、ステップＳ４６において、起床管理部４２ｂはデータ通信部２１を電源オンとする。
【００７７】
その後、ステップＳ４７において、電源オンとなったデータ通信部２１では信号処理部２１ｂが通信部２１ａを用いて親局１０Ａとデータ通信を行う。
【００７８】
ステップＳ４８では、データ通信部２１によるデータ通信が終了した場合、起床管理部４２ｂはデータ通信部２１を電源オフする。また起床管理部４２ｂは給電部４２をステップＳ４２の待機状態とする。以後、ステップＳ４２〜ステップＳ４８が繰り返えされる。
【００７９】
なお、親局１０Ａが生成するパターン給電信号を補足しておく。図１２のステップＳ３８では、親局１０Ａの給電信号生成部３２ａにより生成されるパターン給電信号を説明した。給電信号生成部３２ａの給電パターンの作り方は、以下の様な例１から例３を挙げることができる。
【００８０】
＜例１＞
給電パターンとして、親局１０は起床させる子局２０毎に、異なる電力伝送期間を保持する。親局１０は起床させたい子局２０の電力伝送期間を用いて、電力伝送を行う。子局２０は自身の電力伝送期間の長さ電力伝送された場合のみ起床する。つまり受信した給電信号が自局の給電パターンを示す場合にのみ、起床管理部４２ｂはデータ通信部２１の電源をオンにする。具体例を挙げれば、子局２０Ａ−１は識別番号１であり、識別番号１は、給電パターンとして１秒間の給電信号の電力伝送期間が対応づけられている。子局２０Ａ−２は識別番号２であり、識別番号２は、給電パターンとして２秒間の給電信号の電力伝送期間が対応づけられている。給電信号生成部３２ａは、識別番号１の場合は、パターン給電信号として、共通給電信号を１秒間送信し、識別番号２の場合は、パターン給電信号として、共通給電信号を２秒間送信する。
【００８１】
＜例２＞
給電パターンとして、親局１０はパターン給電信号をオンとオフのパターンで電力伝送する。親局１０は起床させる子局２０毎に、オンとオフとからなる異なる電力伝送パターンを保持する。親局１０Ａは起床させたい子局２０のオンとオフとのパターンであるパターン給電信号を用いて電力伝送を行う。子局２０Ａは電力伝送のオンとオフの給電パターンを識別し、自局の給電パターンであった場合にのみ起床する。つまり受信した給電信号が自局の給電パターンを示す場合にのみ、起床管理部４２ｂはデータ通信部２１の電源をオンにする。
【００８２】
＜例３＞
子局２０は、自局の設置位置による電波の伝搬環境による給電のされ方の違い、つまり、反射、回折、減衰等の特性を予め、自局の識別情報として保持しておく。この場合、親局１０Ａが送信する給電信号は共通給電信号でも構わない。親局１０から給電信号を受信した場合、子局２０Ａは給電信号が自局の識別情報と一致した場合のみ起床する。つまり受信した給電信号が自局の給電パターンを示す場合にのみ、起床管理部４２ｂはデータ通信部２１の電源をオンにする
【００８３】
＜＊＊＊実施の形態２の効果＊＊＊＞
以上に示したように、実施の形態２の親局１０Ａ、子局２０Ａによれば、パターン給電信号を使用することにより子局２０Ａの無線給電の待機中における時計の駆動が不要となるので、実施の形態１よりも、さらに消費電力の削減効果がある。
【００８４】
以上の実施の形態では、図３、図５にハードウェア構成を示したが、図３、図５のハードウェア構成の他に、図２、図４に示す「〜部」を、「サーキットリー」で提供してもよい。また、「〜部」を「回路」又は「工程」又は「手順」又は「処理」に読み替えてもよい。また「手順」又は「処理」の場合は、親局１０、１０Ａ及び子局２０，２０Ａの機能は、親局１０、１０Ａ及び子局２０，２０Ａの機能のプログラムを、コンピュータが実行することで実現される。つまり以上の実施の形態で述べた給電装置、受電装置、給電システムは、給電方法、電源管理方法、給電プログラム及び電源管理プログラムとして把握することも可能である。
【００８５】
また「回路」及び「サーキットリー」は、ＣＰＵだけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００８６】
１  給電システム、１０，１０Ａ  親局、１１  データ通信部、１１ａ  通信部、１１ｂ  信号処理部、１１ｃ  記憶部、１１ｄ  アンテナ、１２  給電部、１２ａ  給電信号生成部、１２ｂ  起床タイミング管理部、１２ｃ  起床時刻記録部、１２ｄ  アンテナ、３２ａ  給電信号生成部、３２ｂ  起床タイミング管理部、３２ｃ  起床パターン記録部、２０，２０Ａ  子局、２１  データ通信部、２１ａ  通信部、２１ｂ  信号処理部、２１ｃ  アンテナ、２２  給電部、２２ａ  ＲＦ−ＤＣ変換部、２２ｂ  起床時刻管理部、２２ｃ  起床時刻記憶部、２２ｄ  アンテナ、４２ａ  給電パターン検出部、４２ｂ  起床管理部、４２ｃ  識別番号記憶部、８１  ＲＦ回路、８２  ＣＰＵ、８３  ＲＡＭ、８４  ＲＦ回路、８５  ＣＰＵ、８６  発振器、８７  ＲＡＭ、９１  ＲＦ回路、９２  ＣＰＵ、９３  整流回路、９４  ＤＣ／ＤＣ、９５  蓄電コンデンサ、９６  ＣＰＵ、９７  発振器、９８  ＲＡＭ、１０１  給電側格納部、１０２  給電側判定部、１０３  給電側データ通信部、２０１  受電側格納部、２０２  受電側判定部、２０３  受電側データ通信部。
【図１】
2017109963.tif 000003
【図２】
2017109963.tif 000004
【図３】
2017109963.tif 000005
【図４】
2017109963.tif 000006
【図５】
2017109963.tif 000007
【図６】
2017109963.tif 000008
【図７】
2017109963.tif 000009
【図８】
2017109963.tif 000010
【図９】
2017109963.tif 000011
【図１０】
2017109963.tif 000012
【図１１】
2017109963.tif 000013
【図１２】
2017109963.tif 000014
【図１３】
2017109963.tif 000015
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
電力を供給する給電信号を受電装置に送信する給電装置において、
前記受電装置とデータ通信を開始すべき開始時刻を特定する時刻情報が格納された給電側格納部と、
前記時刻情報により特定された前記開始時刻に到達したかを判定し、前記開始時刻に到達したと判定した場合に前記給電信号を送信する給電側判定部と
を備え、
前記給電側格納部は、
前記受電装置を識別する識別情報に、前記時刻情報が対応づけて格納されており、
前記給電側判定部は、
前記給電信号を送信する場合に、前記識別情報に対応する前記給電信号の送信パターンを決定し、決定した前記送信パターンで前記給電信号を送信するとともに、
前記送信パターンは、
前記給電信号が連続して送信される期間である電力伝送期間と、
前記給電信号がオンとオフとからなるパターンとして構成される電力伝送パターンとのいずれかである給電装置。
【請求項２】
電力を供給する給電信号を送信する給電装置から前記給電信号を受信する受電装置において、
前記給電装置とデータ通信を開始すべきかどうかの判定に使用する判定情報が格納された受電側格納部と、
前記給電装置とデータ通信を行う受電側データ通信部と、
前記給電信号を受信した場合に前記判定情報を使用して前記データ通信を開始すべきかどうかを判定し、前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする受電側判定部と
を備え、
前記受電側格納部は、
前記判定情報として、前記給電信号の送信パターンを示すパターン情報と照合される照合情報が格納されており、
前記受電側判定部は、
前記給電信号の前記パターン情報を検出し、検出した前記パターン情報と前記照合情報とを比較し、比較の結果、前記パターン情報が前記照合情報を示す場合に前記データ通信を開始すべきと判定するとともに、
前記受電側格納部に格納された前記照合情報は、
前記給電信号が連続して送信される期間である電力伝送期間の情報と、
前記給電信号がオンとオフとからなるパターンとして構成される電力伝送パターンの情報と、
前記給電信号として受信される電波の伝搬特性の情報と
のうち少なくともいずれかである受電装置。
【請求項３】
電力を供給する給電信号を送信する給電装置と、
前記給電装置から前記給電信号を受信し、前記給電装置とデータ通信を行う受電装置と
を備え、
前記給電装置は、
前記受電装置を識別する識別情報に、前記受電装置と前記データ通信を開始すべき開始時刻を特定する時刻情報が対応付けて格納された給電側格納部と、
前記時刻情報により特定された前記開始時刻に到達したかを判定し、前記開始時刻に到達した判定した場合に、前記識別情報に対応する前記給電信号の送信パターンとして、前記給電信号が連続して送信される期間である電力伝送期間と、前記給電信号がオンとオフとからなるパターンとして構成される電力伝送パターンとのいずれかを決定し、決定した前記送信パターンで前記給電信号を送信する給電側判定部と、
前記受電装置とデータ通信を行う給電側データ通信部と
を備え、
前記受電装置は、
前記給電装置とデータ通信を開始すべきかどうかの判定に使用する判定情報として、前記給電信号の送信パターンを示すパターン情報と照合される照合情報である前記電力伝送期間の情報と、前記照合情報である前記電力伝送パターンの情報と、前記照合情報であり、前記給電信号として受信される電波の伝搬特性の情報とのうち少なくともいずれかの前記照合情報を格納する受電側格納部と、
前記給電側データ通信部とデータ通信を行う受電側データ通信部と、
前記給電信号を受信した場合に前記給電信号の前記パターン情報を検出し、検出した前記パターン情報と前記照合情報とを比較し、比較の結果、前記パターン情報が前記照合情報を示す場合に前記データ通信を開始すべきと判定し、前記データ通信を開始すべきと判定した場合に前記受電側データ通信部の電源をオンにして前記受電側データ通信部に前記給電側データ通信部とのデータ通信を行わせ、前記受電側データ通信部による前記給電側データ通信部とのデータ通信が終了した場合に前記受電側データ通信部の電源をオフにする受電側判定部と
備えた給電システム。
【請求項４】
電力を供給する給電信号を受電装置に送信する給電装置であり、前記受電装置を識別する識別情報に、前記受電装置とデータ通信を開始すべき開始時刻を特定する時刻情報が対応付けて格納された給電側格納部を備える給電装置であるコンピュータが、
前記時刻情報により特定された前記開始時刻に到達したかを判定し、
前記開始時刻に到達したと判定した場合に前記識別情報に対応する前記給電信号の送信パターンとして、前記給電信号が連続して送信される期間である電力伝送期間と、前記給電信号がオンとオフとからなるパターンとして構成される電力伝送パターンとのいずれかを決定し、決定した前記送信パターンで、前記給電信号を送信する給電方法。
【請求項５】
電力を供給する給電信号を送信する給電装置とデータ通信を行う受電側データ通信部と、前記給電装置とデータ通信を開始すべきかどうかの判定に使用する判定情報として、前記給電信号の送信パターンを示すパターン情報と照合される照合情報が格納される受電側格納部とを備える受電装置であるコンピュータが、
前記受電側格納部へ、前記照合情報として、前記給電信号が連続して送信される期間である電力伝送期間の情報と、前記給電信号がオンとオフとからなるパターンとして構成される電力伝送パターンの情報と、前記給電信号として受信される電波の伝搬特性の情報とのうち少なくともいずれかの情報を格納し、
前記給電信号を受信した場合に前記給電信号の前記パターン情報を検出し、検出した前記パターン情報と前記照合情報とを比較し、比較の結果、前記パターン情報が前記照合情報を示す場合に前記データ通信を開始すべきと判定し、
前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする電源管理方法。
【請求項６】
電力を供給する給電信号を受電装置に送信する給電装置であり、前記受電装置を識別する識別情報に、前記受電装置とデータ通信を開始すべき開始時刻を特定する時刻情報が対応付けて格納された給電側格納部を備える給電装置であるコンピュータに、
前記時刻情報により特定された前記開始時刻に到達したかを判定する処理、
前記開始時刻に到達したと判定した場合に前記識別情報に対応する前記給電信号の送信パターンとして前記給電信号が連続して送信される期間である電力伝送期間と、前記給電信号がオンとオフとからなるパターンとして構成される電力伝送パターンとのいずれかを決定する処理、
決定した前記送信パターンで、前記給電信号を送信する処理
を実行させるための給電プログラム。
【請求項７】
電力を供給する給電信号を送信する給電装置とデータ通信を行う受電側データ通信部と、
前記給電装置とデータ通信を開始すべきかどうかの判定に使用する判定情報として、前記給電信号の送信パターンを示すパターン情報と照合される照合情報が格納される受電側格納部と
を備える受電装置であるコンピュータに、
前記受電側格納部へ、前記照合情報として、前記給電信号が連続して送信される期間である電力伝送期間の情報と、前記給電信号がオンとオフとからなるパターンとして構成される電力伝送パターンの情報と、前記給電信号として受信される電波の伝搬特性の情報とのうち少なくともいずれかの情報を格納する処理、
前記給電信号を受信した場合に前記給電信号の前記パターン情報を検出し、検出した前記パターン情報と前記照合情報とを比較し、比較の結果、前記パターン情報が前記照合情報を示す場合に前記データ通信を開始すべきと判定する処理、
前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする処理
を実行させるための電源管理プログラム。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
電力を供給する給電信号を受電装置に送信する給電装置において、
前記受電装置とデータ通信を開始すべき開始時刻を特定する時刻情報が格納された給電側格納部と、
前記時刻情報により特定された前記開始時刻に到達したかを判定し、前記開始時刻に到達したと判定した場合に前記給電信号を送信する給電側判定部と
を備え、
前記給電側格納部は、
前記受電装置を識別する識別情報に、前記時刻情報が対応づけて格納されており、
前記給電側判定部は、
前記給電信号を送信する場合に、前記識別情報に対応する前記給電信号の送信パターンであり、前記給電信号を受信する前記受電装置にデータ通信を開始すべきかどうかを判定させるための送信パターンを決定し、決定した前記送信パターンで前記給電信号を送信するとともに、
前記送信パターンは、
前記給電信号が連続して送信される期間である電力伝送期間である給電装置。
【請求項２】
電力を供給する給電信号を送信する給電装置から前記給電信号を受信する受電装置において、
前記給電装置とデータ通信を開始すべきかどうかの判定に使用する判定情報が格納された受電側格納部と、
前記給電装置とデータ通信を行う受電側データ通信部と、
前記給電信号を受信した場合に前記判定情報を使用して前記データ通信を開始すべきかどうかを判定し、前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする受電側判定部と
を備え、
前記受電側格納部は、
前記判定情報として、前記給電信号の送信パターンを示すパターン情報と照合される照合情報が格納されており、
前記受電側判定部は、
前記給電信号の前記パターン情報を検出し、検出した前記パターン情報と前記照合情報とを比較し、比較の結果、前記パターン情報が前記照合情報を示す場合に前記データ通信を開始すべきと判定するとともに、
前記受電側格納部に格納された前記照合情報は、
前記給電信号が連続して送信される期間である電力伝送期間の情報と、
前記給電信号として受信される電波の伝搬特性の情報と
のうち少なくともいずれかである受電装置。
【請求項３】
電力を供給する給電信号を送信する給電装置と、
前記給電装置から前記給電信号を受信し、前記給電装置とデータ通信を行う受電装置とを備え、
前記給電装置は、
前記受電装置を識別する識別情報に、前記受電装置と前記データ通信を開始すべき開始時刻を特定する時刻情報が対応付けて格納された給電側格納部と、
前記時刻情報により特定された前記開始時刻に到達したかを判定し、前記開始時刻に到達した判定した場合に、前記識別情報に対応する前記給電信号の送信パターンであり、前記給電信号を受信する前記受電装置にデータ通信を開始すべきかどうかを判定させるための送信パターンとして、前記給電信号が連続して送信される期間である電力伝送期間を決定し、決定した前記送信パターンで前記給電信号を送信する給電側判定部と、
前記受電装置とデータ通信を行う給電側データ通信部と
を備え、
前記受電装置は、
前記給電装置とデータ通信を開始すべきかどうかの判定に使用する判定情報として、前記給電信号の送信パターンを示すパターン情報と照合される照合情報である前記電力伝送期間の情報と、前記照合情報であり、前記給電信号として受信される電波の伝搬特性の情報とのうち少なくともいずれかの前記照合情報を格納する受電側格納部と、
前記給電側データ通信部とデータ通信を行う受電側データ通信部と、
前記給電信号を受信した場合に前記給電信号の前記パターン情報を検出し、検出した前記パターン情報と前記照合情報とを比較し、比較の結果、前記パターン情報が前記照合情報を示す場合に前記データ通信を開始すべきと判定し、前記データ通信を開始すべきと判定した場合に前記受電側データ通信部の電源をオンにして前記受電側データ通信部に前記給電側データ通信部とのデータ通信を行わせ、前記受電側データ通信部による前記給電側データ通信部とのデータ通信が終了した場合に前記受電側データ通信部の電源をオフにする受電側判定部と
備えた給電システム。
【請求項４】
電力を供給する給電信号を受電装置に送信する給電装置であり、前記受電装置を識別する識別情報に、前記受電装置とデータ通信を開始すべき開始時刻を特定する時刻情報が対応付けて格納された給電側格納部を備える給電装置であるコンピュータが、
前記時刻情報により特定された前記開始時刻に到達したかを判定し、
前記開始時刻に到達したと判定した場合に、前記識別情報に対応する前記給電信号の送信パターンであり、前記給電信号を受信する前記受電装置にデータ通信を開始すべきかどうかを判定させるための送信パターンとして、前記給電信号が連続して送信される期間である電力伝送期間を決定し、決定した前記送信パターンで、前記給電信号を送信する給電方法。
【請求項５】
電力を供給する給電信号を送信する給電装置とデータ通信を行う受電側データ通信部と、前記給電装置とデータ通信を開始すべきかどうかの判定に使用する判定情報として、前記給電信号の送信パターンを示すパターン情報と照合される照合情報が格納される受電側格納部とを備える受電装置であるコンピュータが、
前記受電側格納部へ、前記照合情報として、前記給電信号が連続して送信される期間である電力伝送期間の情報と、前記給電信号として受信される電波の伝搬特性の情報とのうち少なくともいずれかの情報を格納し、
前記給電信号を受信した場合に前記給電信号の前記パターン情報を検出し、検出した前記パターン情報と前記照合情報とを比較し、比較の結果、前記パターン情報が前記照合情報を示す場合に前記データ通信を開始すべきと判定し、
前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする電源管理方法。
【請求項６】
電力を供給する給電信号を受電装置に送信する給電装置であり、前記受電装置を識別する識別情報に、前記受電装置とデータ通信を開始すべき開始時刻を特定する時刻情報が対応付けて格納された給電側格納部を備える給電装置であるコンピュータに、
前記時刻情報により特定された前記開始時刻に到達したかを判定する処理、
前記開始時刻に到達したと判定した場合に、前記識別情報に対応する前記給電信号の送信パターンであり、前記給電信号を受信する前記受電装置にデータ通信を開始すべきかどうかを判定させるための送信パターンとして前記給電信号が連続して送信される期間である電力伝送期間を決定する処理、
決定した前記送信パターンで、前記給電信号を送信する処理
を実行させるための給電プログラム。
【請求項７】
電力を供給する給電信号を送信する給電装置とデータ通信を行う受電側データ通信部と、
前記給電装置とデータ通信を開始すべきかどうかの判定に使用する判定情報として、前記給電信号の送信パターンを示すパターン情報と照合される照合情報が格納される受電側格納部と
を備える受電装置であるコンピュータに、
前記受電側格納部へ、前記照合情報として、前記給電信号が連続して送信される期間である電力伝送期間の情報と、前記給電信号として受信される電波の伝搬特性の情報とのうち少なくともいずれかの情報を格納する処理、
前記給電信号を受信した場合に前記給電信号の前記パターン情報を検出し、検出した前記パターン情報と前記照合情報とを比較し、比較の結果、前記パターン情報が前記照合情報を示す場合に前記データ通信を開始すべきと判定する処理、
前記データ通信を開始すべきと判定した場合に前記受電側データ通信部の電源をオンにして前記受電側データ通信部に前記給電装置とのデータ通信を行わせ、前記受電側データ通信部による前記給電装置とのデータ通信が終了した場合に前記受電側データ通信部の電源をオフにする処理
を実行させるための電源管理プログラム。
【手続補正２】
【補正対象書類名】明細書
【補正対象項目名】００１４
【補正方法】変更
【補正の内容】
【００１４】
図３は、親局１０のハードウェア構成図である。親局１０は、ハードウェアとして、高周波回路８１、中央処理装置８２、ＲＡＭ（Ｒａｎｄｏｍ  Ａｃｃｅｓｓ  Ｍｅｍｏｒｙ）８３、高周波回路８４、中央処理装置８５、発振器８６、ＲＡＭ８７を備えている。以下、高周波回路はＲＦ回路と記し、中央処理装置はＣＰＵと記す。データ通信部１１は、ＲＦ回路８１、ＣＰＵ８２、ＲＡＭ８３により構成される。給電部１２はＲＦ回路８４、ＣＰＵ８５、発振器８６、ＲＡＭ８７により構成される。
なお、機能ブロック図との対応は以下のとおりである。
（１）通信部１１ａの機能は、ＲＦ回路８１で実現される。
（２）信号処理部１１ｂの機能はＣＰＵ８２で実現される。
（３）記憶部１１ｃの機能はＲＡＭ８３によって実現される。
（４）給電信号生成部１２ａの機能は、ＲＦ回路８４とＣＰＵ８５とによって実現される。
（５）起床タイミング管理部１２ｂの機能は、ＣＰＵ８５及び発振器８６によって実現される。
（６）起床時刻記録部１２ｃの機能は、ＲＡＭ８７によって実現される。
【手続補正３】
【補正対象書類名】明細書
【補正対象項目名】００４５
【補正方法】変更
【補正の内容】
【００４５】
図９〜図１３を参照して実施の形態２を説明する。実施の形態２のシステム構成は実施の形態１の図１と同じであるが、実施の形態２では親局１０Ａ、子局２０Ａとする。よって実施の形態２では、図１の親局１０、子局２０−１・・・子局２０−Ｎは、親局１０Ａ、子局２０Ａ−１・・・子局２０Ａ−Ｎである。以下では実施の形態１と異なる部分を説明する。
【手続補正４】
【補正対象書類名】明細書
【補正対象項目名】００４７
【補正方法】変更
【補正の内容】
【００４７】
（１）給電信号生成部３２ａは、起床させる子局２０Ａの識別番号に対応する信号パターンの給電信号を生成し、生成したパターンの給電信号を送信する。識別番号に対応する信号パターンを以下、給電パターンという。給電パターンは給電信号の送信パターンである。
（２）起床タイミング管理部３２ｂは、いずれかの子局２０Ａの起床タイミングになった場合、給電信号生成部３２ａに、対象となる子局２０Ａの給電パターンの給電信号の送信を開始させる。
（３）起床パターン記録部３２ｃは、親局１０Ａが収容するすべての子局２０Ａの起床タイミング情報を記録する。
【手続補正５】
【補正対象書類名】明細書
【補正対象項目名】００５８
【補正方法】変更
【補正の内容】
【００５８】
ステップＳ３０において、親局１０Ａは、データ通信部１１、給電部３２が電源オンとなり、データ通信部１１、給電部３２が起動する。
【手続補正６】
【補正対象書類名】明細書
【補正対象項目名】００６２
【補正方法】変更
【補正の内容】
【００６２】
識別番号を含む起床タイミング情報を受信した後、信号処理部１１ｂは、識別番号、起床時刻、起床間隔を読み取り、起床タイミング管理部３２ｂに通知する。ステップＳ３３において、起床タイミング管理部３２ｂは、子局２０Ａの識別番号に、起床時刻、起床間隔を対応付けて、起床パターン記録部３２ｃに記憶する。
【手続補正７】
【補正対象書類名】明細書
【補正対象項目名】００６３
【補正方法】変更
【補正の内容】
【００６３】
ステップＳ３４において、信号処理部１１ｂは、子局２０Ａの収容個数Ｍを１だけインクリメントする。ステップＳ３４はステップＳ１４と同じ処理である。
【手続補正８】
【補正対象書類名】明細書
【補正対象項目名】００６４
【補正方法】変更
【補正の内容】
【００６４】
実施の形態１と同様に、インクリメントされる収容個数Ｍが予め親局１０Ａに設定されている子局２０Ａの収容個数Ｓに一致するまで、ステップＳ３２〜ステップＳ３４の動作が繰り返される。
【手続補正９】
【補正対象書類名】明細書
【補正対象項目名】００６８
【補正方法】変更
【補正の内容】
【００６８】
ステップＳ３８において、給電信号生成部３２ａは、起床タイミング管理部３２ｂから識別番号、命令信号を受信した場合には、識別番号から給電パターンを特定し、特定した給電パターンの給電信号を生成して送信する。なお、給電信号生成部３２ａを構成するＣＰＵ８５は、識別番号から給電パターンが特定できるように予めプログラムされており、ＣＰＵ８５はＲＦ回路８４を用いて、特定された給電パターンの給電信号を生成して送信する。これは図１１のステップＳ０５に相当する。
【手続補正１０】
【補正対象書類名】明細書
【補正対象項目名】００８０
【補正方法】変更
【補正の内容】
【００８０】
＜例１＞
給電パターンとして、親局１０Ａは起床させる子局２０Ａ毎に、異なる電力伝送期間を保持する。親局１０Ａは起床させたい子局２０Ａの電力伝送期間を用いて、電力伝送を行う。子局２０Ａは自身の電力伝送期間の長さ電力伝送された場合のみ起床する。つまり受信した給電信号が自局の給電パターンを示す場合にのみ、起床管理部４２ｂはデータ通信部２１の電源をオンにする。具体例を挙げれば、子局２０Ａ−１は識別番号１であり、識別番号１は、給電パターンとして１秒間の給電信号の電力伝送期間が対応づけられている。子局２０Ａ−２は識別番号２であり、識別番号２は、給電パターンとして２秒間の給電信号の電力伝送期間が対応づけられている。給電信号生成部３２ａは、識別番号１の場合は、パターン給電信号として、共通給電信号を１秒間送信し、識別番号２の場合は、パターン給電信号として、共通給電信号を２秒間送信する。
【手続補正１１】
【補正対象書類名】明細書
【補正対象項目名】００８１
【補正方法】変更
【補正の内容】
【００８１】
＜例２＞
給電パターンとして、親局１０Ａはパターン給電信号をオンとオフのパターンで電力伝送する。親局１０Ａは起床させる子局２０Ａ毎に、オンとオフとからなる異なる電力伝送パターンを保持する。親局１０Ａは起床させたい子局２０Ａのオンとオフとのパターンであるパターン給電信号を用いて電力伝送を行う。子局２０Ａは電力伝送のオンとオフの給電パターンを識別し、自局の給電パターンであった場合にのみ起床する。つまり受信した給電信号が自局の給電パターンを示す場合にのみ、起床管理部４２ｂはデータ通信部２１の電源をオンにする。
【手続補正１２】
【補正対象書類名】明細書
【補正対象項目名】００８２
【補正方法】変更
【補正の内容】
【００８２】
＜例３＞
子局２０Ａは、自局の設置位置による電波の伝搬環境による給電のされ方の違い、つまり、反射、回折、減衰等の特性を予め、自局の識別情報として保持しておく。この場合、親局１０Ａが送信する給電信号は共通給電信号でも構わない。親局１０Ａから給電信号を受信した場合、子局２０Ａは給電信号が自局の識別情報と一致した場合のみ起床する。つまり受信した給電信号が自局の給電パターンを示す場合にのみ、起床管理部４２ｂはデータ通信部２１の電源をオンにする。
【手続補正１３】
【補正対象書類名】図面
【補正対象項目名】図１
【補正方法】変更
【補正の内容】
【図１】
2017109963.tif 000016
【手続補正１４】
【補正対象書類名】図面
【補正対象項目名】図９
【補正方法】変更
【補正の内容】
【図９】
2017109963.tif 000017
【国際調査報告】
2017109963.tif 000018
2017109963.tif 000019
2017109963.tif 000020